(57)【要約】【課題】  前眼部と眼底のＯＣＴデータをスムーズに取得できる眼科ＯＣＴ装置を提供する。【解決手段】  ＯＣＴ光源からの光を測定光路と参照光路に分割し、測定光路を介して被検眼の眼底又は前眼部の一方に導かれた測定光と参照光路からの参照光との干渉信号を検出器によって検出するＯＣＴ光学系を備え、被検眼の眼底又は前眼部のＯＣＴデータを得る眼科ＯＣＴ装置であって、前記測定光路の内部に配置された光学部材によって前記測定光の集光位置を前眼部と眼底との間で切り換える内部切換手段と、被検眼の眼底又は前眼部の一方のＯＣＴデータの取得完了をトリガとして前記内部切換手段を制御することによって前記測定光の集光位置を被検眼の眼底又は前眼部の他方に切り換える制御手段と、を備える。【選択図】      図８
2019042249.tif 000002
【特許請求の範囲】
【請求項１】
ＯＣＴ光源からの光を測定光路と参照光路に分割し、測定光路を介して被検眼の眼底又は前眼部の一方に導かれた測定光と参照光路からの参照光との干渉信号を検出器によって検出するＯＣＴ光学系を備え、被検眼の眼底又は前眼部のＯＣＴデータを得る眼科ＯＣＴ装置であって、
前記測定光路の内部に配置された光学部材によって前記測定光の集光位置を前眼部と眼底との間で切り換える内部切換手段と、
被検眼の眼底又は前眼部の一方のＯＣＴデータの取得完了をトリガとして前記内部切換手段を制御することによって前記測定光の集光位置を被検眼の眼底又は前眼部の他方に切り換える制御手段と、
を備えることを特徴とする眼科ＯＣＴ装置。
【請求項２】
測定光路と参照光路との間の光路長差を調整する光路長差調整手段を備え、
前記制御手段は、被検眼の眼底又は前眼部の一方のＯＣＴデータの取得完了をトリガとして前記光路長差調整手段を制御することによってＯＣＴデータの取得範囲を被検眼の眼底又は前眼部の他方に自動的に切り換えることを特徴とする請求項１の眼科ＯＣＴ装置。
【請求項３】
前記制御手段は、前記眼底と前眼部の両方のＯＣＴデータが取得された後、前記眼底と前眼部の両方のＯＣＴデータを含む確認画面を表示部に表示することを特徴とする請求項１〜２のいずれかの眼科ＯＣＴ装置。
【請求項４】
前記眼底と前眼部のＯＣＴデータのいずれかを選択的に再取得するための選択信号に基づいて前記内部切換手段を制御することによって前記測定光の集光位置を切り換え、選択されたＯＣＴデータの取得に移行することを特徴とする請求項１〜３のいずれかの眼科ＯＣＴ装置。
【請求項５】
前記制御手段は、前記眼底又は前眼部の一方のＯＣＴデータが取得された後、前記一方のＯＣＴデータを含む確認画面を表示部に表示すると共に、
前記確認画面の表示中において、前記内部切換手段と光路長差調整手段の少なくともいずれかを制御することによって被検眼の眼底及び前眼部の他方のＯＣＴデータの取得に移行することを特徴とする請求項１〜４のいずれかの眼科ＯＣＴ装置。
【請求項６】
被検眼に対する測定光のフォーカスを調整するフォーカス調整部を備え、
前記制御手段は、前記内部切換手段による集光位置の切換後、前記フォーカス調整部を制御し、被検眼に対する前記測定光のフォーカスを自動的に行うことを特徴とする請求項１〜５のいずれかの眼科ＯＣＴ装置。
【請求項７】
前記制御手段は、前記ＯＣＴ光学系によるＯＣＴデータの撮影動作の完了をトリガとして内部切換部を制御することによって測定光の集光位置を眼底又は前眼部の他方に自動的に切り換えることを特徴とする請求項１〜６のいずれかの眼科ＯＣＴ装置。
【請求項８】
前記眼底のＯＣＴデータと前記前眼部のＯＣＴデータの両方を取得する前段階において、前記眼底のＯＣＴデータと前記前眼部のＯＣＴデータを取得する際の前記撮影条件を予め設定する設定手段を備え、
前記制御手段は、前記設定手段によって設定された撮影条件に基づいて前記ＯＣＴ光学系を制御することを特徴とする請求項１〜７のいずれかの眼科ＯＣＴ装置。
【発明の詳細な説明】
【技術分野】
【０００１】
本開示は、被検眼のＯＣＴデータを得るための眼科ＯＣＴ装置に関する。
【背景技術】
【０００２】
被検眼の眼底又は前眼部のＯＣＴデータを撮影可能な装置として、光干渉断層計（Optical Coherence Tomography: OCT）が知られている（特許文献１参照）。例えば、眼底と前眼部との間で撮影部位の切換を行う場合、専用のアタッチメントを用いる方式、筐体の内部に配置された光学部材（例えば、レンズ）を挿脱させる方式等が知られている（例えば、特許文献１参照）。
【先行技術文献】
【特許文献】
【０００３】
【特許文献１】特開２０１６−２０９５７７号公報
【発明の概要】
【発明が解決しようとする課題】
【０００４】
しかしながら、アタッチメントを用いる場合、検者は、アタッチメントを装置に対して取り付ける必要があり、手間である。また、光学部材を挿脱させる方式においても、前眼部と眼底の間において撮影条件が異なり各種調整が必要であるため、ＯＣＴデータの取得までに時間を要する。
【０００５】
本開示は、上記問題点を鑑み、前眼部と眼底のＯＣＴデータをスムーズに取得できる眼科ＯＣＴ装置を提供することを技術課題とする。
【課題を解決するための手段】
【０００６】
上記課題を解決するために、本発明は以下のような構成を備えることを特徴とする。
【０００７】
（１）  
ＯＣＴ光源からの光を測定光路と参照光路に分割し、測定光路を介して被検眼の眼底又は前眼部の一方に導かれた測定光と参照光路からの参照光との干渉信号を検出器によって検出するＯＣＴ光学系を備え、被検眼の眼底又は前眼部のＯＣＴデータを得る眼科ＯＣＴ装置であって、
前記測定光路の内部に配置された光学部材によって前記測定光の集光位置を前眼部と眼底との間で切り換える内部切換手段と、
被検眼の眼底又は前眼部の一方のＯＣＴデータの取得完了をトリガとして前記内部切換手段を制御することによって前記測定光の集光位置を被検眼の眼底又は前眼部の他方に切り換える制御手段と、を備えることを特徴とする。
（２）  
前記眼底のＯＣＴデータと前記前眼部のＯＣＴデータの両方を取得する前段階において、前記眼底のＯＣＴデータと前記前眼部のＯＣＴデータを取得する際の前記撮影条件を予め設定する設定手段を備え、
前記制御手段は、前記設定手段によって設定された撮影条件に基づいて前記ＯＣＴ光学系を制御することを特徴とする。
【発明の効果】
【０００８】
本開示によれば、前眼部と眼底のＯＣＴデータをスムーズに取得できる。
【発明を実施するための形態】
【０００９】
本開示の実施形態の一例について図面に基づいて説明する。図１〜図１５は本実施形態の実施例に係る図である。なお、以下の＜＞にて分類された項目は、独立又は関連して利用されうる。
【００１０】
＜概要＞
本実施形態に係るＯＣＴ装置は、ＯＣＴ光学系を備え、ＯＣＴ光学系の検出器から出力される干渉信号を処理してＯＣＴデータを取得可能であってもよい。ＯＣＴデータとしては、例えば、被検眼の眼底又は前眼部のＯＣＴデータであってもよい。この場合、ＯＣＴ光学系は、例えば、フーリエドメインＯＣＴ光学系（ＳＳ−ＯＣＴ光学系、ＳＤ−ＯＣＴ光学系）であってもよい。ＯＣＴ光学系は、ＯＣＴ光源からの光を測定光路と参照光路に分割するための光分割器を有し、測定光路を介して被検眼の眼底又は前眼部の一方に導かれた測定光と参照光路からの参照光とのスペクトル干渉信号を検出器によって検出してもよい。
【００１１】
眼底のＯＣＴデータとしては、例えば、硝子体、網膜、脈絡膜の少なくともいずれかの領域を含むＯＣＴデータであってもよい。前眼部のＯＣＴデータとしては、角膜、水晶体の少なくともいずれかの領域を含むＯＣＴデータであってもよい。
【００１２】
ＯＣＴデータとしては、例えば、被検眼の形態断層データ、被検眼のモーションコントラストデータ（ＯＣＴアンジオデータ）であってもよい。ＯＣＴデータが取得される際、例えば、静止画データとしてキャプチャーされ、画像データとして表現されてもよい。ＯＣＴデータは、被検眼上で測定光を走査することによって取得されてもよい。なお、モーションコントラストデータは、例えば、被検眼上の同一位置に関して測定光を走査することによって得られた時間的に異なる複数のＯＣＴデータを処理することによって取得されてもよい。
【００１３】
＜内部切換部＞
ＯＣＴ装置は、例えば、ＯＣＴ光学系の測定光路の内部に配置された光学部材によって、測定光の集光位置を前眼部と眼底との間で切り換える内部切換部を備えてもよい。これによって、ＯＣＴデータを取得する部位の切換をスムーズに行うことができ、例えば、被検眼と装置との位置関係を維持した状態にて取得部位を切り換えることができる。
【００１４】
内部切換部は、例えば、測定光路の内部に配置された光学部材を駆動させる駆動部を備えてもよく、駆動部の駆動によって測定光の集光位置を前眼部と眼底との間で切り換えてもよい。
【００１５】
内部切換部としては、例えば、種々の機構を用いることができ、特に限定されない。例えば、レンズ挿脱ユニット、ミラー挿脱ユニット、液晶レンズユニットの少なくともいずれかが用いられてもよい。
【００１６】
ＯＣＴ装置は、例えば、測定光路上に光スキャナおよび対物光学系を備え、更に、内部切換部として、対物光学系の焦点と光スキャナとの相対位置を、光軸方向に関して変更可能な切換部を備えてもよい。当該相対位置の変更は、被検物が眼である場合に、ＯＣＴデータが取得される深さ領域を眼底と前眼部との間で切り換える上で、有用である。ただし、内部切換部としては、これに限定されない。
【００１７】
＜集光位置切換制御＞
ＯＣＴ装置は、例えば、内部切換部を少なくとも制御する制御部を備えてもよい。この場合、制御部は、眼底又は前眼部の一方のＯＣＴデータの取得完了をトリガとして内部切換部を制御することによって測定光の集光位置を眼底又は前眼部の他方に切り換えるようにしてもよい。ＯＣＴデータの取得完了の際、取得されたＯＣＴデータは、記憶部に静止画データとして記憶（キャプチャー）されてもよい。測定光の集光位置が切り換えられた後、制御部は、眼底又は前眼部の他方のＯＣＴデータの撮影動作に移行し、自動又は手動にて発せられる撮影開始信号に応じてＯＣＴデータを取得してもよい。上記によれば、例えば、眼底と前眼部の両方のＯＣＴデータをスムーズに取得することができる。この結果として、例えば、撮影時間が短縮されることで、被検者の負担が軽減し、良好なＯＣＴデータを取得することができる。
【００１８】
なお、本実施形態では、眼底又は前眼部の一方、他方の関係につき、先に取得される部位を一方、後に取得される部位を他方として説明される。よって、前眼部が先に取得され、眼底が後に取得される場合、一方が前眼部に対応し、他方が眼底に対応する。また、眼底が先に取得され、前眼部が後に取得される場合、一方が眼底に対応し、他方が前眼部に対応する。
【００１９】
取得完了をトリガとする手法としては、例えば、ＯＣＴデータの撮影動作の完了（例：キャプチャ動作完了）をトリガとしてもよいし、撮影動作完了後の良否判定（自動又は手動）を介して良好と判定されたＯＣＴデータの取得完了をトリガとしてもよい。なお、撮影動作の完了のタイミングとしては、例えば、静止画としてのＯＣＴデータの撮影が完了されたタイミングであってもよいし、ＯＣＴデータが記憶部に一時的に取り込まれたタイミングであってもよい。
【００２０】
より具体的には、制御部は、例えば、撮影開始信号に応じて実行されるＯＣＴ光学系によるＯＣＴデータの撮影動作（キャプチャー動作）が完了したことをトリガとしてもよい。また、制御部は、ＯＣＴデータの撮影動作の完了後、自動又は手動にて行われる良否判定の結果、良と判定されたことをトリガとしてもよい。もちろん、上記に限定されず、例えば、制御部は、ＯＣＴデータが静止画としてキャプチャーされたことをトリガとしてもよい。
【００２１】
ＯＣＴデータの取得完了をトリガとして測定光の集光位置を切り換える場合、制御部は、眼底又は前眼部の一方のＯＣＴデータの取得完了をトリガとして内部切換部を制御することによって測定光の集光位置を眼底又は前眼部の他方に自動的に切り換えるようにしてもよい。この場合、例えば、制御部は、例えば、ＯＣＴ光学系によるＯＣＴデータの撮影動作（キャプチャー動作）が完了したことをトリガとして集光位置を自動的に切り換えてもよいし、自動又は手動にて行われる良否判定の結果、良と判定されたことをトリガとして集光位置を自動的に切り換えてもよい。
【００２２】
上記において、良否判定を自動的に行う場合、制御部は、例えば、取得されたＯＣＴデータの信号強度に基づいて良否判定を行うようにしてもよいし、ＯＣＴデータと同時に取得された正面像に基づいて良否判定を行うようにしてもよい。前眼部のＯＣＴデータに関して、例えば、制御部は、ＯＣＴデータの信号強度に加え、ＯＣＴデータ又は正面像において注目部位（例えば、角膜頂点）が検出されているかにより良否判定を行うようにしてもよい。眼底のＯＣＴデータに関して、例えば、制御部は、ＯＣＴデータの信号強度に加え、ＯＣＴデータ又は正面像において注目部位（例えば、黄斑部、又は乳頭部位）が検出されているかにより良否判定を行うようにしてもよい。また、良否判定を手動にて行う場合、制御部は、検者によって操作される操作部から操作信号に基づく判定結果に応じて良否判定を行うようにしてもよい。
【００２３】
なお、取得完了をトリガとして集光位置を切り換える手法としては、前述のようにＯＣＴデータの取得完了を直接的なトリガとする制御の他、ＯＣＴデータの取得完了を間接的なトリガとする制御も含まれる。例えば、制御部は、ＯＣＴデータの取得完了を直接的なトリガとしてＯＣＴ光学系の他の構成（例：光路長差調整部、フォーカス調整部）を制御し、当該他の構成の制御動作（例えば、制御開始後、制御完了後等）に応じて測定光の集光位置を切り換えるようにしてもよい。
【００２４】
＜ＯＣＴ光学系の制御＞
上記に限定されず、制御部は、眼底又は前眼部の一方のＯＣＴデータの取得完了をトリガとしてＯＣＴ光学系を制御することによってＯＣＴ光学系によるＯＣＴデータの取得部位を眼底又は前眼部の他方に切り換えるようにしてもよい。ＯＣＴデータの取得完了をトリガとする例、自動切換制御の例としては、前述の＜集光位置切換制御＞を参照されたい。
【００２５】
ＯＣＴ装置は、例えば、測定光路と参照光路との間の光路長差を調整する光路長差調整部を備えてもよい。光路長差調整部としては、例えば、測定光路と参照光路の少なくともいずれかに配置された光学部材を駆動させる駆動部を備え、測定光路と参照光路の少なくともいずれかの光路長を変化させる構成であってもよい。
【００２６】
この場合、例えば、制御部は、眼底又は前眼部の一方のＯＣＴデータの取得完了をトリガとして光路長差調整部を制御することによってＯＣＴデータの取得範囲を眼底又は前眼部の他方に切り換えてもよい。ＯＣＴデータの取得範囲としては、例えば、深さ方向におけるＯＣＴデータの取得範囲であってもよい。制御部は、光路長差調整部を制御することによってＯＣＴデータの取得範囲を眼底又は前眼部の他方に向けて変化させると共に、取得されるＯＣＴデータに基づいて、眼底又は前眼部の他方のＯＣＴデータが取得されるように光路長差調整部を制御してもよい。この場合、上記に限定されず、被検眼の既知の眼軸長が利用されてもよいし、予め記憶された過去の光路長差調整量が利用されてもよい。
【００２７】
ＯＣＴデータの取得完了をトリガとしてＯＣＴデータの取得範囲を切り換える場合、制御部は、眼底又は前眼部の一方のＯＣＴデータの取得完了をトリガとして光路長差調整部を制御することによってＯＣＴデータの取得範囲を眼底又は前眼部の他方に自動的に切り換えるようにしてもよい。この場合、例えば、制御部は、ＯＣＴデータの撮影動作が完了したことをトリガとしてＯＣＴデータの取得範囲を自動的に切り換えてもよいし、自動又は手動にて行われる良否判定の結果、良と判定されたことをトリガとしてＯＣＴデータの取得範囲を自動的に切り換えてもよい。
【００２８】
なお、制御部は、測定光の集光位置の切換制御と並行して、光路長差調整部の調整制御を行うようにしてもよい。これによって、次のＯＣＴデータをより短時間で取得することができる。また、制御部は、集光位置の切換制御の完了後、光路長差調整部の調整制御を行うようにしてもよい。また、光路長差調整部の調整完了後、集光位置の切換制御を行うようにしてもよい。
【００２９】
ＯＣＴ装置は、例えば、ＯＣＴ光学系の測定光路の内部に配置された光学部材によって、被検眼に対する測定光のフォーカスを調整するフォーカス調整部を備えてもよい。フォーカス調整部としては、例えば、測定光路に配置された光学部材を光軸方向に駆動させる駆動部を備え、被検眼に対する測定光のフォーカスを調整する構成であってもよい。
【００３０】
この場合、例えば、制御部は、内部切換部による集光位置の切換後、フォーカス調整部を制御することによって被検眼に対する測定光のフォーカスを自動的に行ってもよい。制御部は、内部切換部を制御することによって測定光の集光位置を眼底又は前眼部の他方に切り換えると共に、取得されるＯＣＴデータ又は正面像データに基づいて、眼底又は前眼部の他方に対してフォーカスが一致するようにフォーカス調整部を制御してもよい。この場合、上記に限定されず、被検眼の既知の視度が利用されてもよいし、予め記憶された過去のフォーカス量が利用されてもよい。なお、フォーカス調整制御について、例えば、眼底のＯＣＴデータを取得する際の視度補正にて実施されてもよい。もちろん、前眼部と眼底の両方でフォーカス調整が行われてもよい。
【００３１】
＜ＯＣＴデータの確認画面＞
制御部は、表示部を制御してもよい。この場合、制御部は、取得されたＯＣＴデータを含む確認画面を表示部に表示してもよい。例えば、制御部は、眼底と前眼部の両方のＯＣＴデータが取得された後、眼底と前眼部の両方のＯＣＴデータを含む確認画面を表示部に表示してもよい。これによって、連続的に取得された眼底と前眼部の両方のＯＣＴデータを同時に確認できるので、ＯＣＴデータの良否を容易に確認できる。
【００３２】
ＯＣＴデータを含む確認画面を表示部に表示する場合、例えば、制御部は、眼底又は前眼部の一方のＯＣＴデータが取得された後、一方のＯＣＴデータを含む確認画面を表示部に表示すると共に、確認画面の表示中において、内部切換部と光路長差調整部の少なくともいずれかを制御し、眼底及び前眼部の他方のＯＣＴデータの取得に移行してもよい。これによって、他方のＯＣＴデータを取得するための制御を、確認画面の表示中に行うことによって他方のＯＣＴデータの取得をスムーズに行うことができる。例えば、内部切換部を予め作動させておくことによって、他方のＯＣＴデータに対応する部位へのフォーカス制御を短縮化できる。また、例えば、光路長差調整部を予め作動させておくことによって、他方のＯＣＴデータに対応する部位への光路長差調整を短縮化できる。
【００３３】
制御部は、眼底と前眼部のＯＣＴデータのいずれかを選択的に再取得するための選択信号に基づいて内部切換部を制御することによって測定光の集光位置を切り換え、選択されたＯＣＴデータの取得に移行してもよい。これによって、各ＯＣＴデータの再取得をスムーズに行うことができる。この場合、検者からの選択信号を受け付ける指示受付部が設けられてもよい。眼底と前眼部の両方のＯＣＴデータを含む確認画面上において、再取得するＯＣＴデータを、眼底と前眼部のＯＣＴデータから選択可能であってもよい。なお、上記に限定されず、制御部は、ＯＣＴデータの良否判定処理を行い、否と判定されたＯＣＴデータに関して選択的に再取得を行うため、測定光の集光位置を切り換えてもよい。
【００３４】
＜撮影条件の事前設定＞
ＯＣＴ装置は、例えば、眼底のＯＣＴデータと前眼部のＯＣＴデータの両方を取得する前段階において、眼底のＯＣＴデータと前眼部のＯＣＴデータを取得する際の撮影条件を予め設定する設定部が設けられてもよい。制御部は、設定部によって設定された撮影条件に基づいてＯＣＴ光学系を制御することによって、設定された撮影条件に対応する眼底と前眼部のＯＣＴデータを取得するようにしてもよい。これによって、眼底と前眼部のＯＣＴデータを得る際の撮影条件を事前に設定できるので、両方のＯＣＴデータを得る撮影動作をスムーズに行うことができる。
【００３５】
設定部は、眼底のＯＣＴデータと前眼部のＯＣＴデータを取得する際の撮影条件を、複数の撮影条件から予め選択するための選択指示を受け付ける指示受付部を備えてもよい。指示受付部は、例えば、検者からの選択指示を受け付ける構成であってもよいし、制御部によって自動的に選択された選択指示を受け付ける構成であってもよい。なお、指示受付部は、被検眼の疾患（例えば、緑内障、加齢黄斑変性等）に応じて撮影条件を選択可能な構成であってもよい。例えば、緑内障の場合、前眼部の隅角部分が撮影部位として設定されてもよいし、加齢黄斑変性の場合、眼底の黄斑部分が撮影部位として設定されてもよい。これらはあくまで一例であり、これに限定されない。
【００３６】
撮影条件としては、例えば、測定光の走査条件、ＯＣＴデータの特性（例えば、ＯＣＴ形態データ、ＯＣＴモーションコントラストデータ）であってもよい。なお、ＯＣＴモーションコントラストデータを得る際、例えば、同一の走査位置に関して測定光を複数回走査させる場合があるので、測定光の走査条件の一つとして、ＯＣＴデータをＯＣＴモーションコントラストデータとして取得するか否かが予め設定可能であってもよい。
【００３７】
＜実施例＞
本実施例では、ＯＣＴ装置として、図１に示される光コヒーレンストモグラフィー（ＯＣＴ）装置が用いられる。本実施例に係るＯＣＴ装置は、例えば、波長掃引式ＯＣＴ（ＳＳ−ＯＣＴ：Swept Source-OCT）を基本的構成とし、波長可変光源１０２、干渉光学系（ＯＣＴ光学系）１００、演算制御器（演算制御部）７０と、を含む。その他、ＯＣＴ装置には、メモリ７２、表示部７５、図示無き正面像観察系及び固視標投影系が設けられてもよい。演算制御器（以下、制御部）７０は、波長可変光源１０２、干渉光学系１００、メモリ７２、表示部７５に接続されている。
【００３８】
干渉光学系１００は、導光光学系１５０によって測定光を眼Ｅに導く。干渉光学系１００は、参照光学系１１０に参照光を導く。干渉光学系１００は、眼Ｅによって反射された測定光と参照光との干渉、によって取得される干渉信号光を検出器（受光素子）１２０に受光させる。さらに、本実施例の干渉光学系１００は、ＦＰＮ生成光学系２００を備える（詳しくは後述する）。なお、干渉光学系１００は、図示無き筐体（装置本体）内に搭載され、ジョイスティック等の操作部材を介して周知のアライメント移動機構により眼Ｅに対して筐体を３次元的に移動させることによって被検眼に対するアライメントが行われてもよい。
【００３９】
干渉光学系１００には、ＳＳ−ＯＣＴ方式が用いられ、光源１０２として出射波長を時間的に高速で変化させる波長可変光源（波長走査型光源）が用いられる。光源１０２は、例えば、レーザ媒体、共振器、及び波長選択フィルタによって構成される。そして、波長選択フィルタとして、例えば、回折格子とポリゴンミラーの組み合わせ、ファブリー・ペローエタロンを用いたフィルタが挙げられる。また、光源１０２として、ＶＣＳＥＬ式波長可変光源が用いられてもよい。
【００４０】
カップラ（スプリッタ）１０４は、第１の光分割器として用いられ、光源１０２から出射された光を測定光路と参照光路に分割する。カップラー１０４は、例えば、光源１０２からの光を測定光路側の光ファイバー１０５に導光すると共に、参照光路側の参照光学系１１０に導光する。
【００４１】
カップラ（スプリッタ）１３０は、第２の光分割器として用いられ、光ファイバー１０５からの光（測定光）を、導光光学系１５０の光路とＦＰＮ生成光学系２００の光路に分割する。つまり、測定光路には、導光光学系１５０とＦＰＮ生成光学系２００が設けられている。カップラ（スプリッタ）１３０は、ビームスプリッタであってもよいし、サーキュレータであってもよい。
【００４２】
＜導光光学系＞
導光光学系１５０は、測定光を眼Ｅに導くために設けられる。導光光学系１５０には、例えば、光ファイバー１５２、カップラー１５３、コリメータレンズ１５４、光スキャナ１５６、及び対物レンズ系１５８が順次設けられてもよい。この場合、測定光は、光ファイバー１５２、カップラー１５３を介して、コリメータレンズ１５４によって平行ビームとなり、光スキャナ１５６に向かう。光スキャナ１５６を通過した光は、対物レンズ系１５８を介して、眼Ｅに照射される。測定光は、前眼部及び後眼部の両方に照射され、各組織にて散乱・反射される。
【００４３】
光スキャナ１５６は、眼Ｅ上でＸＹ方向（横断方向）に測定光を走査させてもよい。光スキャナ１５６は、例えば、２つのガルバノミラーであり、その反射角度が駆動機構によって任意に調整される。光源１０２から出射された光束は、その反射（進行）方向が変化され、眼底上で任意の方向に走査される。光スキャナ１５６としては、例えば、反射ミラー（ガルバノミラー、ポリゴンミラー、レゾナントスキャナ）の他、光の進行（偏向）方向を変化させる音響光学素子（ＡＯＭ）等が用いられてもよい。
【００４４】
この場合、測定光による眼Ｅからの散乱光（反射光）は、対物レンズ系１５８、光スキャナ１５６、コリメータレンズ１５４、カップラー１５３、光ファイバー１５２を経た後、カップラ―１３０に達する。カップラ１３０は、光ファイバー１５２からの光を、第１の検出器１２０ａに向かう光路（例えば、光ファイバー１１５〜カップラー３５０ａ）と、第２の検出器１２０ｂに向かう光路（例えば、光ファイバー１０５〜カップラー１０４〜光ファイバー１１７〜カップラー３５０ｂ）に分割する。
【００４５】
カップラー１３０によって分割された測定光のうち、第１の検出器１２０ａに向かう光路を経由した測定光は、カップラ３５０ａにて、第１の参照光路１１０ａからの参照光と合波されて干渉する。また、第２の検出器１２０ｂに向かう光路を経由した測定光は、カップラ３５０ｂにて、第２の参照光路１１０ｂからの参照光と合波されて干渉する。
【００４６】
＜参照光学系＞
参照光学系１１０は、眼Ｅでの測定光の反射によって取得される反射光と合成される参照光を生成する。参照光学系１１０を経由した参照光は、カップラ（例えば、カップラ３５０ａ、３５０ｂ）にて測定光路からの光と合波されて干渉する。参照光学系１１０は、マイケルソンタイプであってもよいし、マッハツェンダタイプであってもよい。
【００４７】
参照光学系１１０は、例えば、反射光学系によって形成され、カップラー１０４からの光を反射光学系により反射することにより検出器１２０に導いてもよい。参照光学系１１０は、透過光学系によって形成されてもよい。この場合、参照光学系１１０は、カップラー１０４からの光を戻さず透過させることにより検出器１２０へと導く。
【００４８】
なお、測定光路と参照光路の少なくともいずれかには、測定光と参照光との光路長差を調整するための光学部材が配置されてもよい。例えば、コリメータレンズ１５４とカップラー１５３とが一体的に移動されることで、測定光の光路長が調整され、結果として、測定光と参照光との光路長差が調整されてもよい。もちろん、参照光路に配置された光学部材が移動されることによって、結果として、測定光と参照光との光路長差が調整されてもよい。
【００４９】
本実施例において、参照光学系１１０として、複数の参照光路が設けられてもよく、例えば、第１の参照光路１１０ａと、第２の参照光路１１０ｂとが設けられてもよい。
【００５０】
参照光学系１１０は、例えば、参照光路を第１の参照光路１１０ａと、第２の参照光路１１０ｂに分割するための光分割器（例えば、カップラ１１１）が設けられてもよい。第１の参照光路１１０ａと、第２の参照光路１１０ｂの少なくともいずれかには、例えば、参照光の光路長を変更するために移動される光学部材１１２が設けられてもよい。光学部材１１２は、制御部７０によって制御される図示なき駆動部によって移動されてもよい。
【００５１】
例えば、カップラ１０４からの参照光は、カップラ１１１によって第１の参照光路１１０ａと第２の参照光路１１０ｂに分割される。第１の参照光路１１０ａを経由した参照光は、カップラ３５０ａにて、光ファイバ１１５からの測定光と合波されて干渉する。第２の参照光路１１０ｂを経由した参照光は、カップラ３５０ｂにて、光ファイバ１１７からの測定光と合波されて干渉する。
【００５２】
第１の参照光路１１０ａと、第２の参照光路１１０ｂは、互いに異なる光路長に設定されてもよい。これによって、例えば、互いに異なる深さ領域に対応する干渉信号を同時に取得でき、結果として、広範囲のＯＣＴデータを同時に取得できる。
【００５３】
例えば、第１の参照光路１１０ａが、被検眼における第１の深さ領域（例えば、水晶体、眼底）に対応する干渉信号を得るために設けられ、第２の参照光路１１０ｂは、被検眼における第２の深さ領域（例えば、角膜）に対応する干渉信号を得るために設けられてもよい。この場合、第２の深さ領域は、第１の深さ領域に対して異なる領域に設定される。この場合、第１の深さ領域と第２の深さ領域は、互いに分離した領域であってもよいし、互いに隣接した領域であってもよいし、一部が重複した領域であってもよい。
【００５４】
なお、第１の参照光路１１０ａと、第２の参照光路１１０ｂは、同じ光路長に設定されてもよい。これによって、例えば、同一の深さ領域に対応する干渉信号を同時に取得でき、結果として、同一領域に関する複数のＯＣＴデータを同時に取得できる。
【００５５】
＜光検出器＞
検出器１２０は、測定光路からの光と参照光路からの光による干渉を検出するために設けられている。なお、検出器１２０は、受光素子であってもよく、例えば、受光部が一つのみからなるポイントセンサであって、例えば、アバランシェ・フォト・ダイオードが用いられてもよい。
【００５６】
本実施例では、検出器１２０として、第１の検出器１２０ａと、第１の検出器１２０ａとは異なる第２の検出器１２０ｂと、が設けられてもよい。第１の検出器１２０ａは、第１の参照光路１１０ａからの参照光と光ファイバー１１５からの測定光との第１の干渉信号を検出するための検出器として設けられてもよい。第２の検出器１２０ｂは、第２の参照光路１１０ｂからの参照光と光ファイバ１１７からの測定光との第２の干渉信号を検出するための検出器として設けられてもよい。この場合、第１の検出器１２０ａにて第１の干渉信号を検出すると同時に、第２の検出器１２０ｂにて第２の干渉信号を検出することによって、第１の干渉信号と第２の干渉信号を同時に検出可能である。
【００５７】
なお、第１の検出器１２０ａ、第２の検出器１２０ｂは、それぞれ平衡検出器であってもよい。この場合、第１の検出器１２０ａ、第２の検出器１２０ｂは、複数の受光素子をそれぞれ備え、第１受光素子からの干渉信号と第２受光素子からの干渉信号との差分を得て、干渉信号に含まれる不要なノイズを削減できる。
【００５８】
＜ＦＰＮ生成光学系＞
ＦＰＮ生成光学系２００は、ＦＰＮ信号を生成するために設けられてもよい。ＦＰＮ生成光学系２００は、ＦＰＮを発生させる光学部材（例えば、第１の光学部材２０４又は第２の光学部材２０６）を少なくとも一つ備えてもよい。本実施例において、ＦＰＮ生成光学系２００は、測定光が被検眼に向かう光路から分岐された位置に配置されている。
【００５９】
ＦＰＮ生成光学系２００としては、例えば、反射光学系であってもよく、ＦＰＮ発生用光学部材としては、例えば、光反射部材（例えば、ミラー）が用いられてもよい。なお、本実施例においては、ＦＰＮを発生させる光学部材を複数設けたが、これに限定されず、ＦＰＮ生成光学系２００は、ＦＰＮを発生させる光学部材を一つ備える構成であってもよい。
【００６０】
第１の検出器１２０ａには、第１の干渉信号と共にＦＰＮ信号が検出され、第２の検出器１２０ｂには、第２の干渉信号と共にＦＰＮ信号が検出される。ＦＰＮ信号は、例えば、第１の干渉信号に基づく第１のＯＣＴデータと、第２の干渉信号に基づく第２のＯＣＴデータとの合成（詳しくは後述する）、各干渉信号の波数マッピング補正、偏光調整等に用いられてもよい。
【００６１】
例えば、ＦＰＮ生成光学系２００は、第１のＦＰＮ信号と第２のＦＰＮ信号を生成するために設けられてもよい。例えば、ＦＰＮ生成光学系２００は、第１のＦＰＮを発生させる第１の光学部材２０４と、第２のＦＰＮを発生させる第２の光学部材２０６と、を少なくとも備えてもよい。第２の光学部材２０６は、第２の光学部材を経由した光が、第１の光学部材２０４を経由した光による光路長とは異なるように配置されてもよい。これによって、第２のＦＰＮは、第１のＦＰＮに対して異なる位置に発生される。なお、後述するゼロディレイ位置は、ＯＣＴデータ上において、測定光の光路長と参照光の光路長とが一致する位置に対応する。
【００６２】
第１の光学部材２０４と第２の光学部材２０６とが同時に使用されることによって、２つのＦＰＮ信号を同時に生成することが可能であり、これによって、２つのＦＰＮ信号を処理する際の時間的なずれの影響を軽減できる。なお、ＦＰＮ光学系２００は、３つ以上のＦＰＮ発生用光学部材を備えてもよく、これらが同時に使用されることによって、３つ以上のＦＰＮ信号を同時に生成することが可能である。
【００６３】
ＦＰＮ生成光学系２００としては、例えば、反射光学系であってもよく、ＦＰＮ発生用光学部材としては、例えば、光反射部材（例えば、ミラー）が用いられてもよい。本実施例では、第１のＦＰＮ発生用光学部材２０４、第２のＦＰＮ発生用光学部材２０６としてミラーが用いられているが、これに限定されない。
【００６４】
この場合、カップラ１３０からの光は、第１の光学部材２０４又は第２の光学部材２０６を経由した後、カップラ１３０に戻され、導光光学系１５０からの光と同様の経路を経て、カップラ３５０ａ，カップラ３５０ｂに達する。ＦＰＮ生成光学系２００からの光は、カップラ３５０ａ，３５０ｂにて参照光と合波されて干渉する。なお、光源１０２〜ＦＰＮ生成光学系２００〜カップラ３５０ａ，３５０ｂの光路長と、光源１０２〜参照光学系１１０〜カップラ３５０ａ，３５０ｂまでの光路長は、ほぼ同じ長さに設定されてもよい。
【００６５】
例えば、第１の光学部材２０４を経由した光が参照光と干渉することによって、第１のＦＰＮに対応する干渉信号光が生成され、検出器１２０には第１のＦＰＮ信号が生成され、第２の光学部材２０６を経由した光が参照光と干渉することによって、第２のＦＰＮに対応する干渉信号光が生成され、検出器１２０には第２のＦＰＮ信号が生成される。結果として、例えば、検出器１２０には、第１のＦＰＮ信号と第２のＦＰＮ信号の両方が同時に検出される。
【００６６】
ＦＰＮ信号を所定の処理に用いる場合、検出器１２０ａ、検出器１２０ｂのそれぞれにおいて、第１のＦＰＮ信号と第２のＦＰＮ信号の両方が同時に検出されてもよいし、検出器１２０ａにおいて一方のＦＰＮ信号が検出され、検出器１２０ｂにおいて他方のＦＰＮ信号が検出されてもよい。また、検出器１２０ａ、検出器１２０ｂの一方において、第１のＦＰＮ信号と第２のＦＰＮ信号の両方が同時に検出され、検出器１２０ａ、検出器１２０ｂの他方において第１のＦＰＮ信号と第２のＦＰＮ信号の一方が検出されてもよい。また、検出器１２０ａ、検出器１２０ｂの一方において、少なくとも一つのＦＰＮ信号が検出され、また、検出器１２０ａ、検出器１２０ｂの他方において、ＦＰＮ信号が検出されなくてもよい。
【００６７】
なお、ＦＰＮ生成光学系２００には、光量モニタ２１０が配置されてもよく、光源１０２からの光は、ビームスプリッタ２０８を介して光量モニタ１２０によって検出される。光量モニタ１２０からの出力信号は、光源１０２の出射光量が適正か否かを判定するために用いられてもよい。
【００６８】
＜光量分岐比＞
ここで、カップラー１３０は、カップラー１０４からの光を、導光光学系１５０の光路とＦＰＮ生成光学系２００の光路に分割すると共に、導光光学系１５０及びＦＰＮ生成光学系２００からの光を、第１の検出器３５０ａへと向かう光路（例えば、光ファイバー１１５〜カップラー３５０ａ）と、カップラー１０４へと向かう光路（例えば、光ファイバー１０５〜カップラー１０４〜光ファイバー１１７〜カップラー３５０ｂ）と、に分割する。
【００６９】
ファイバー１０５からの光を分割する際のカップラー１３０の光量分割比Ｓ１は、導光光学系１５０よりもＦＰＮ生成光学系２００に多くの光が導かれるように設定されてもよい。この場合、ファイバー１０５からの光がカップラ１３０―によって分割される光量比は、導光光学系１５０＜ＦＰＮ生成光学系２００となる。
【００７０】
導光光学系１５０からの光を分割する際のカップラー１３０の光量分割比Ｓ２は、光量分割比Ｓ１に依存する。この結果、導光光学系１５０からの光に関し、第１の検出器１２０ａに向かう光路よりも、第２の検出器１２０ａに向かう光路に、多くの光が導かれる。この場合、導光光学系１５０からの光がカップラー１３０によって分割される光量比は、第１の検出器１２０ａに向かう光路＜カップラー１０４に向かう光路となる。
【００７１】
第１の検出器１２０ａに向かう光路を経由した測定光は、第１の参照光路１１０ａからの光と干渉した後、第１の検出器１２０ａにて第１の干渉信号として検出される。一方、カップラー１０４に向かう測定光は、カップラー１０４によって、光源１０２に向かう光路と、第２の検出器１２０ｂに向かう光路（例えば、光ファイバー１１７〜カップラー３５０ｂ）に分割される。カップラー１３０からの光を分割する際の光量分割比Ｓ４は、光源１０２からの光を測定光路と参照光路とに分割する際の光量分割比Ｓ３に依存する。光量分割比Ｓ３が、測定光路よりも参照光路に多くの光が導かれるように設定された場合、カップラー１３０からの光がカップラー１０４によって分割される光量比は、光源１０２に向かう光路＜第２の検出器１２０ｂに向かう光路となる。この結果、カップラ１３０からの光に関し、光源１０２に向かう光路よりも、第２の検出器１２０ｂに向かう光路に多くの光が導かれる。第２の検出器１２０ｂに向かう光路を経由した測定光は、第２の参照光路１１０ｂからの光と干渉した後、第２の検出器１２０ｂにて第２の干渉信号として検出される。
【００７２】
上記構成をまとめると、カップラー１３０の光量分割比Ｓ２に関して、第１の検出器１２０ａに向かう光路＜カップラー１０４に向かう光路であり、カップラー１０４の光量分割比Ｓ４に関して、光源１０２に向かう光路＜第２の検出器１２０ｂに向かう光路にて設定されている。
【００７３】
この結果として、第１の検出器１２０ａにて検出される第１の干渉信号と、第２の検出器１２０ｂにて検出される第２の干渉信号と、を適度なバランスにて検出できる。つまり、カップラー１０４を経由して第２の検出器１２０ｂに向かう光路の場合、導光光学系１５０からの光は、複数の光分割器（例えば、カップラ１３０、カップラー１０４）を経由するので、光量減衰の回数が多いのに対し、第１の検出器１２０ａに向かう光路の場合、導光光学系１５０からの光は、カップラー１３０を経由して第１の検出器１２０ａに達するので、光量減衰の回数が相対的に少ない。
【００７４】
そこで、カップラー１３０の光量分割比Ｓ２に関して、第１の検出器１２０ａに向かう光路＜カップラー１０４に向かう光路であり、カップラー１０４の光量分割比Ｓ４に関して、光源１０２に向かう光路＜第２の検出器１２０ｂに向かう光路であることで、光量減衰が複数回行われたとしても、光量減衰を軽減でき、結果として、第１の検出器１２０ａと第２の検出器１２０ｂとの間で信号強度の差異を少なくできる。したがって、第１の検出器１２０ａによって得られるＯＣＴデータと第２の検出器１２０ｂによって得られるＯＣＴデータとの信号強度の差異が少なくなり、それぞれ適正なＯＣＴデータを取得できる。
【００７５】
なお、カップラー１３０の光量分割比Ｓ２と、カップラー１０４の光量分割比Ｓ４に関して、第１の検出器１２０ａに向かう光路と第２の検出器１２０ｂに向かう光路との光量比が同一となるように設定されてもよい。その一例としては、カップラー１３０の光量分割比Ｓ２に関して、第１の検出器１２０ａに向かう光路：カップラー１０４に向かう光路＝６：４、カップラー１０２の光量分割比Ｓ４に関して、光源１０２に向かう光路：第２の検出器１２０ｂに向かう光路＝１：２となるように設定されてもよい。
【００７６】
上記限定されず、カップラー１３０の光量分割比Ｓ２と、カップラー１０４の光量分割比Ｓ４に関して、第１の検出器１２０ａと第２の検出器１２０ｂによって検出されるＯＣＴデータの撮影部位での反射光量の違いを考慮して、光量分割比が設定されてもよい。つまり、被検眼の角膜からの反射光は、反射光量が大きいが、水晶体及び眼底からの光は、反射光量が相対的に少ない。そこで、撮影部位による反射光量比を考慮して、結果として、第１の検出器１２０ａと第２の検出器１２０ｂとの間でのＯＣＴデータの信号強度が同一となるように、カップラー１３０の光量分割比Ｓ２と、カップラー１０４の光量分割比Ｓ４が設定されてもよい。
【００７７】
なお、本実施例において、導光光学系１５０からの光を複数の検出器に導光させる際、１つの光分割器（例えば、カップラー１３０）を介して第１の検出器１２０ａに向かう光と、複数のカップラー（例えば、カップラー１３０、カップラー１０４）を介して第２の検出器１２０ｂに向かう光に分けたのは、導光光学系１５０からの光をより多く効率的に各検出器に導かれるためである。このような光学配置は、光源１２０の出射光量が限られており、被検眼からの反射光が微弱であるような場合に、特に有利である。
【００７８】
図２は、本実施例に係るＦＰＮ生成光学系の一例を示す図である。ＦＰＮ生成光学系２００は、例えば、第１の光学部材２０４を備える第１の光路２０３と、第２の光学部材２０６を備える第２の光路２０５とを少なくとも備えてもよい。ここで、第１の光路２０３と第２の光路２０５との間において、第１の光路２０３の光路長と第２の光路２０５の光路長が異なることによって、第２のＦＰＮは、第１のＦＰＮとは異なる位置に生成される。例えば、第２の光路２０５の光路長が第１の光路２０３の光路長よりも長いことによって、第１のＦＰＮよりもゼロディレイから離れた位置に生成される。
【００７９】
ＦＰＮ生成光学系２００は、光路分割部材２０２（例えば、ビームスプリッタ）を備えてもよく、光路分割部材２０２は、光源側の光路を、第１の光路２０３と第２の光路２０５とに分割するために設けられてもよい。第１の光学部材２０４は、光路分割部材２０２によって分割された第１の光路２０３に配置されており、第２の光学部材２０６は、光路分割部材２０２によって分割された第２の光路に配置されている。
【００８０】
第１の光路２０３と第２の光路２０５は、互いに異なる光路長を持つ。つまり、光路分割部材２０２の分岐位置から第１の光学部材２０４までの光路長と、光路分割部材２０２の分岐位置から第２の光学部材２０６までの光路長は異なる。この結果として、第１の光学部材２０４によって形成される第１のＦＰＮと、第２の光学部材２０６によって形成される第２のＦＰＮは、ＯＣＴ画像上において深さ方向に異なる位置に形成される。なお、深さ方向における第１のＦＰＮと第２のＦＰＮとの間の距離は、第１の光路２０３と第２の光路２０５との間の光路長差に起因する。
【００８１】
＜偏波調整機構＞
本実施例のＯＣＴ光学系１００において、複数の偏光調整部が設けられてもよく、例えば、ＯＣＴ光学系１００の光路には、第１の偏光調整部３００、第２の偏光調整部３０２、第３の偏光調整部３０４が設けられてもよい（図１参照）。
【００８２】
第１の偏光調整部３００は、第１の参照光路１１０ａの光路に配置され、第１の参照光路１１０ａを経由する参照光の偏光状態を調整するために設けられてもよい。第２の偏光調整部３０２は、第２の参照光路１１０ｂの光路に配置され、第２の参照光路１１０ｂを経由する参照光の偏光状態を調整するために設けられてもよい。第３の偏光調整部３０４は、ＦＰＮ生成光学系２００の光路に配置され、ＦＰＮ生成光学系２００の光路を経由する光の偏光状態を調整するために設けられてもよい。
【００８３】
＜深さ情報の取得＞
光源１０２により出射波長が変化されると、これに対応する干渉信号光が検出器１２０に受光され、結果的に、スペクトル信号として検出器１２０によって検出される。制御部７０は、検出器１２０によって検出されたスペクトル信号を処理（フーリエ解析）し、被検眼のＯＣＴデータを得る。
【００８４】
スペクトル信号（スペクトルデータ）は、波長λの関数として書き換えられ、波数ｋ（＝２π／λ）に関して等間隔な関数Ｉ（ｋ）に変換されてもよい。あるいは、初めから波数ｋに関して等間隔な関数Ｉ（ｋ）として取得されてもよい（Ｋ―ＣＬＯＣＫ技術）。演算制御器は、波数ｋ空間でのスペクトル信号をフーリエ変換することにより深さ（Ｚ）領域におけるＯＣＴデータを得てもよい。
【００８５】
さらに、フーリエ変換後の情報は、Ｚ空間での実数成分と虚数成分を含む信号として表されてもよい。制御部７０は、Ｚ空間での信号における実数成分と虚数成分の絶対値を求めることによりＯＣＴデータを得てもよい。
【００８６】
本実施例では、制御部７０は、第１の検出器１２０ａによって検出された第１の干渉信号を処理して第１のＯＣＴデータを得ると共に、第２の検出器１２０ｂによって検出された第２の干渉信号を処理して第２のＯＣＴデータを得てもよい。ここで、第１の参照光路１１０ａと第２の参照光路１２０ｂとが異なる光路長に設定される場合、第１のＯＣＴデータと第２のＯＣＴデータは、深さ方向に関して少なくとも一部が異なる領域のＯＣＴデータが取得され、第１の参照光路１１０ａと第２の参照光路１２０ｂとが同じ光路長に設定される場合、第１のＯＣＴデータと第２のＯＣＴデータは、深さ方向に関して同じ領域のＯＣＴデータが取得される。
【００８７】
＜制御系＞
制御部７０は、ＣＰＵ（プロセッサ）、ＲＡＭ、ＲＯＭ等を備えてもよい（図１参照）。例えば、制御部７０のＣＰＵは、ＯＣＴ装置の制御を司ってもよい。ＲＡＭは、各種情報を一時的に記憶する。制御部７０のＲＯＭには、ＯＣＴ装置の動作を制御するための各種プログラム、初期値等が記憶されてもよい。
【００８８】
制御部７０には、記憶部としての不揮発性メモリ（以下、メモリに省略する）７２、表示部７５等が電気的に接続されてもよい。メモリ７２には、電源の供給が遮断されても記憶内容を保持できる非一過性の記憶媒体が用いられてもよい。例えば、ハードディスクドライブ、フラッシュＲＯＭ、および、ＯＣＴ装置に着脱可能に装着されるＵＳＢメモリ等をメモリ７２として使用することができる。メモリ７２には、ＯＣＴデータの取得及びＯＣＴ画像の撮影を制御するための制御プログラムが記憶されてもよいし、ＦＰＮを用いてＯＣＴ画像を合成するための演算処理プログラム、各波数成分のマッピング状態を補正するための補正情報を得る演算処理プログラム等が記憶されてもよい。また、メモリ７２には、ＯＣＴデータから生成されるＯＣＴ画像の他、撮影に関する各種情報が記憶されてもよい。表示部７５は、ＯＣＴデータから生成されるＯＣＴ画像を表示してもよい。
【００８９】
＜ＦＰＮを用いた画像合成＞
制御部７０は、第１の干渉信号に基づく第１のＯＣＴデータと、第２の干渉信号に基づく第２のＯＣＴデータとを、第１の検出器１２０ａによって検出されたＦＰＮ信号と第２の検出器１２０ｂによって検出されたＦＰＮ信号とに基づいて合成することによって合成ＯＣＴデータを得てもよい（図３〜図５参照）。つまり、ＦＰＮ信号は、複数のＯＣＴデータを合成するための基準信号として用いられてもよい。ここで、第２のＯＣＴデータは、第１のＯＣＴデータに対して被検眼上の深さ領域の少なくとも一部が異なってもよい。
【００９０】
一例としては、ＦＰＮ生成光学系２００においてＦＰＮ発生用の光学部材（例えば、光学部材２０４、２０６）の配置位置は既知であるから、第１のＯＣＴデータと第２のＯＣＴデータとの位置関係をＦＰＮ信号を用いて設定してもよい。
【００９１】
これによって、第１のＯＣＴデータと第２のＯＣＴデータとの位置関係を適正に設定できる。なお、本実施例では、第１のＯＣＴデータが第１の検出器１２０ａにて検出されると同時に、第２のＯＣＴデータが第２の検出器１２０ｂにて検出されるので、被検眼の移動などによる位置ズレも軽減できる。
【００９２】
例えば、ＦＰＮ生成光学系２００は、第１のＦＰＮを発生させる第１の光学部材（例えば、第１の光学部材２０４）と、第１のＦＰＮとは異なる位置に第２のＦＰＮを発生させる第２の光学部材（例えば、第２の光学部材２０６）と、を少なくとも備え、少なくとも２つのＦＰＮ信号を生成するためのＦＰＮ生成光学系であってもよい。
【００９３】
制御部７０は、第１の干渉信号に基づく第１のＯＣＴデータと、第２の干渉信号に基づく第２のＯＣＴデータとを、第１の検出器１２０ａによって検出された第１の光学部材によるＦＰＮと第２の検出器１２０ｂによって検出された第２の光学部材によるＦＰＮとに基づいて合成することによって合成ＯＣＴデータを得てもよい。
【００９４】
図３、４はＦＰＮ信号を用いて複数のＯＣＴデータを合成する場合のデータの一例を示す図であり、図３は合成前、図４は合成後のイメージ図である。ＦＰＮ１は、第１の光学部材２０４によって生成されたＦＰＮ信号であり、ＦＰＮ２は、第２の光学部材２０６によって生成されたＦＰＮ信号である。
【００９５】
図３においては、第１のＯＣＴデータには、ＦＰＮ１が形成され、第２のＯＣＴデータには、ＦＰＮ２が形成される。第１のＯＣＴデータは、第１の参照光路１１０ａ及び第１の検出器１１０ａを用いて取得され、第２のＯＣＴデータは、第２の参照光路１１０ｂ及び第２の検出器１１０ｂを用いて取得されてもよい。
【００９６】
ＦＰＮ信号を用いてＯＣＴデータ間の位置関係を設定する場合、制御部７０は、例えば、第１のＯＣＴデータに含まれるＦＰＮ１と第２のＯＣＴデータに含まれるＦＰＮ２を用いてＯＣＴデータ間の位置関係を設定してもよい。ここで、制御部７０は、深さ方向におけるＦＰＮの位置を検出し、ＦＰＮの検出位置を基準として複数のＯＣＴデータを合成してもよい（図４参照）。
【００９７】
ここで、第１の光学部材２０４と第２の光学部材２０４との間の位置関係は既知であるから（例えば、光路長ΔＤ）、制御部７０は、第１のＯＣＴデータと第２のＯＣＴデータとを合成する場合、ＦＰＮ１とＦＰＮ２の位置を検出し、ＦＰＮ１の検出位置とＦＰＮ２の検出位置とが光路長ΔＤ分離間するように合成してもよい。なお、複数のＯＣＴデータ間の重複部分に関する合成について、いずれか一方のＯＣＴデータを用いるようにしてもよいし、両方のＯＣＴデータの平均を求めるようにしてもよい。
【００９８】
制御部７０は、上記のようにして合成された合成ＯＣＴデータに基づいて被検眼の寸法（例えば、前房深度、眼軸長等）を測定してもよく、さらに、得られた測定結果を表示部７５上に表示してもよい。
【００９９】
＜遮光部材＞
なお、ＦＰＮ生成光学系２００の光路に遮光部材又は減光部材が配置されることによって、被検眼の観察又は撮影に用いるＯＣＴデータのＦＰＮ信号を軽減するようにしてもよい。この場合、第１の光路と第２の光路との少なくともいずれかが遮光又は減光されることで、ＯＣＴデータ上でのＦＰＮ信号を軽減するようにしてもよい。これらは、診断・観察等に用いるＯＣＴデータを得る場合において有効である。また、これに限定されず、ＯＣＴデータに含まれるＦＰＮ信号を信号処理によって除去するようにしてもよい。
【０１００】
例えば、ＦＰＮ生成光学系２００の光路には、第１の光路を遮光するための第１の遮光部材２１０と、第２の光路を遮光するための第２の遮光部材２１２と、が各光路に対して挿脱可能に配置されてもよい。
【０１０１】
＜被検眼への適用例＞
本装置は、被検眼のＯＣＴデータを取得するための眼科用ＯＣＴ装置であってもよい。例えば、眼科用ＯＣＴ装置としては、眼底のＯＣＴデータと、角膜及び水晶体を含む前眼部のＯＣＴデータと、を取得可能な構成であってもよく、さらに、角膜及び眼底のＯＣＴデータに基づいて眼軸長を測定可能な構成であってもよい。
【０１０２】
例えば、眼科用ＯＣＴ装置は、自動又は手動によるモード切換信号に応じて、ＯＣＴ光学系１００の光学配置を切換可能な構成であってもよい。例えば、眼底Ｅｒを撮影する眼底撮影モード、被検眼Ｅの前眼部Ｅｃを撮影する前眼部撮影モード、眼底撮影モードと前眼部撮影モードとを連続的に行う前眼部・眼底撮影モードが設定可能であってもよい。追加的には、さらに、被検眼の眼軸長を測定する眼軸長測定モードが設定可能であってもよい。
【０１０３】
＜眼底撮影モード＞
眼底撮影モードに設定された場合、制御部７０は、導光光学系１５０を制御し、眼底のＯＣＴデータを得るための光学配置に切り替えてもよい。この場合、例えば、制御部７０は、被検眼瞳孔上に測定光の旋回点が形成されると共に、測定光の集光位置が眼底上に形成されるように、導光光学系１５０の光学配置を切り換えてもよい。なお、導光光学系１５０の光学配置の切換に係る構成については、例えば、特開２０１６−２０９５７７号公報を参照されたい。
【０１０４】
眼底撮影モードに設定された場合、制御部７０は、測定光と参照光の少なくともいずれかの光路長を調整し、ＯＣＴデータの取得領域を眼底に設定してもよい。この場合、例えば、制御部７０は、複数の参照光路の少なくともいずれかを経由した参照光の光路長が、眼底を経由した測定光の光路長と一致するように、測定光と参照光との間の光路長差を調整してもよい。なお、光路長差が調整される場合、ゼロディレイ位置よりも網膜が奥側に形成された状態でＯＣＴデータが取得されるように調整されてもよいし、ゼロディレイ位置よりも脈絡膜が前側に形成された状態でＯＣＴデータが取得されるように調整されてもよい。
【０１０５】
本実施例では、例えば、眼底からの測定光の光路長と、第１の参照光路１１０ａからの参照光とが一致するように、測定光路に配置された光学部材が移動されることによって、測定光の光路長が調整されてもよい。これによって、少なくとも、第１の検出器１１０ａからの出力信号に基づいて得られる第１のＯＣＴデータには、眼底のＯＣＴデータが含まれる。
【０１０６】
図５は眼底撮影モードにおいて取得されるＯＣＴデータの一例を示す図である。制御部７０は、光学部材１１２を移動させ、第１の参照光路１１０ａと同一の光路長となるように、第２の参照光路１１０ｂの光路長を調整してもよい。この結果、第１の検出器１１０ａに基づく第１のＯＣＴデータと、第２の検出器１１０ｂに基づく第２のＯＣＴデータとが、眼底の同一領域となる。この場合、制御部７０は、第１のＯＣＴデータと第２のＯＣＴデータとに基づく合成ＯＣＴデータ（例えば、加算平均画像、超解像画像、等）を得てもよい。これによって、短時間で、所定の撮像領域に関する良好な眼底のＯＣＴデータが得られる。
【０１０７】
＜前眼部撮影モード＞
前眼部撮影モードに設定された場合、制御部７０は、導光光学系１５０を制御し、角膜及び水晶体を含む前眼部のＯＣＴデータを得るための光学配置に切り替えてもよい。この場合、被検眼瞳孔よりも装置側に測定光の旋回点が形成されると共に、測定光の集光位置が前眼部上に形成されるように、導光光学系１５０の光学配置を切り換えてもよい。なお、導光光学系１５０の光学配置の切換に係る構成については、例えば、特開２０１６−２０９５７７号公報を参照されたい。
【０１０８】
前眼部撮影モードに設定された場合、制御部７０は、制御部７０は、測定光と参照光の少なくともいずれかの光路長を調整し、第１の検出器１２０ａと第２の検出器１２０ｂの一方によるＯＣＴデータの取得領域を水晶体に設定し、第１の検出器１２０ａと第２の検出器１２０ｂの他方によるＯＣＴデータの取得領域を角膜に設定してもよい。ここで、第１の検出器１２０ａによって取得されるＯＣＴデータと、第２の検出器１２０ｂによって取得されるＯＣＴデータとは、被検眼上の取得領域の少なくとも一部が深さ方向に関して異なる。これによって、角膜領域を含むＯＣＴデータと、水晶体領域を含むＯＣＴデータが取得されてもよい。この場合、角膜領域を含むＯＣＴデータに、角膜及び水晶体前面が少なくとも含まれ、水晶体領域を含むＯＣＴデータに、水晶体後面が少なくとも含まれてもよい。つまり、前眼部領域における前側領域のＯＣＴデータと、前眼部領域における後側領域のＯＣＴデータとが、それぞれ別々に取得されてもよい。
【０１０９】
なお、制御部７０は、例えば、水晶体領域を含むＯＣＴデータと、角膜領域を含むＯＣＴデータとを合成してもよい。この場合、前述のＦＰＮ信号を用いた合成処理が用いられてもよく、角膜及び水晶体からの測定光の光路長と、ＦＰＮ生成光学系２００を経由した測定光の光路長が一致するように、ＦＰＮ生成光学系２００の光路長が設定されてもよい。いいかえれば、角膜領域を含むＯＣＴデータと水晶体領域を含むＯＣＴデータとを取得できるように導光光学系１５０の測定光と参照光との光路長差が設定された状態において、各ＯＣＴデータにＦＰＮ信号が含まれるように、ＦＰＮ生成光学系２００が設定されてもよい。
【０１１０】
なお、光路長差が調整される場合、ゼロディレイ位置よりも角膜前面が奥側に形成された状態で角膜領域を含むＯＣＴデータが取得されるように調整され、ゼロディレイ位置よりも水晶体後面が前側に形成された状態で水晶体領域を含むＯＣＴデータが取得されるように調整されてもよい。これにより、画像合成時のミラーイメージによる影響を回避できる。また、第１のＯＣＴデータと第２のＯＣＴデータとの間において、深さ方向において被検眼上の取得領域の一部が重複するように、第１の参照光路１１０ａと第２の参照光路１１０ｂの光路長差が設定されてもよい。これによって、画像合成における連結をスムーズに行うことができる。
【０１１１】
図６は前眼部撮影モードにおいて取得されるＯＣＴデータの一例を示す図である。本実施例では、例えば、水晶体からの測定光の光路長と、第１の参照光路１１０ａからの参照光とが一致するように、測定光路に配置された光学部材が移動されることによって、測定光の光路長が調整されてもよい。これによって、少なくとも、第１の検出器１１０ａからの出力信号に基づいて得られる第１のＯＣＴデータには、水晶体領域のＯＣＴデータが含まれる。
【０１１２】
第１のＯＣＴデータに水晶体のＯＣＴデータが含まれるように、測定光路に配置された光学部材の位置が調整された状態において、例えば、制御部７０は、角膜からの測定光の光路長と、第２の参照光路１１０ｂからの参照光とが一致するように、第２の参照光路１１０ｂに配置された光学部材１１２が移動されることによって、第２の参照光路１１０ｂの参照光の光路長が調整されてもよい。これによって、第２の検出器１１０ｂからの出力信号に基づいて得られる第２のＯＣＴデータには、角膜のＯＣＴデータが含まれる。
【０１１３】
水晶体のＯＣＴデータと角膜のＯＣＴデータが取得されると、例えば、制御部７０は、水晶体のＯＣＴデータと角膜のＯＣＴデータを合成し、合成ＯＣＴデータを取得してもよい。さらに、制御部７０は、合成ＯＣＴデータに基づいて角膜位置、水晶体位置等を検出し、被検眼の前房深度、水晶体厚等を測定してもよい。
【０１１４】
＜導光光学系の光学配置の切替に係る構成＞
ここで、内部切換部として、導光光学系１５０の光学配置の切替に係る構成の例を、図７を参照して説明する。
【０１１５】
図７は、導光光学系１５０に対し、光学配置の切替に係る構成の一例を適用したものである。図１６では、導光光学系１５０における光学配置を、眼底撮影モードと、前眼部撮影モードと、のモード切替に応じて切り替えるために、主に、第１切替部４１０と第２切替部４２０とが、更に、ＯＣＴ装置に設けられている。
【０１１６】
一例として、図７に示した第１切替部４１０は、ミラー４１１，４１２を含み、ミラー４１１，４１２を移動させることで、対物光学系１５８と光スキャナ１５６との間の光路長を変更する（図７Ａ⇔図７Ｂ）。対物光学系１５８と光スキャナ１５６との間の光路長が変更された結果として、対物光学系１５８における焦点と、光スキャナ１５６との相対位置が切り替えられる。
【０１１７】
図７に示した第１切替部４１０におけるミラー４１１，４１２は、ステージ４４０上に配置されており、駆動部４３０がステージ４４０を駆動することによって移動され、対物光学系１５８と光スキャナ１５６との間の光路長を変更する。なお、駆動部４３０は、制御部７０によって駆動される。光路長の変更に伴って、相対位置は、第１位置（光スキャナ１５６が対物光学系１５６の焦点と略一致して配置される位置、図１６Ａ参照）と、第２位置対物光学系１５８に関して光スキャナ１５６と前眼部とが共役関係になる位置、図１６Ｂ参照）との２つの間で切替る。
【０１１８】
第１位置の場合、光スキャナ１５６を経て、対物光学系１５８を通過した測定光は、物体側にテレセントリックな光またはテレセントリックに近い光（つまり、光軸上における無限遠点に、又は、その近傍に、旋回点を持つ光）として、被検眼Ｅへ照射される。結果、前眼部Ｅａの広範囲において、ＯＣＴデータを取得可能になる。
【０１１９】
このように、対物光学系１５８における焦点位置と光スキャナ１５６との相対位置が、第１切替部４１０によって切り替えられることで、前眼部と眼底のそれぞれにおいて、ＯＣＴデータを良好に取得できる。但し、このとき、第１切替部４１０は、測定光路と参照光路との光路長差が変化される。図７において、この光路長差の変動の少なくとも一部は、第２切替部４２０によって相殺される。
【０１２０】
図７において、第２切替部４２０は、ミラー４２１〜４２４を有している。第２切替部４２０は、ミラー４２１〜４２４が測定光路上から退避される退避状態と、測定光路上に配置される挿入状態と、に切替えられる。ミラー４２１〜４２４のうち、ミラー４２１，４２２は、ステージ４４０上に配置されており、駆動部４３０がステージ４４０を駆動することによって、測定光路に対して挿脱される。ミラー４２１，４２２が測定光路に対して挿入されることにより、ミラー４２１〜４２４は迂回光路を形成し、挿入前に対して、カップラー１５３と光スキャナ１５６との間における光路長を増大させる。このようにして、第２切替部４２０によって、光スキャナ１５６とカップラー１５３との間における測定光路の光路長が変更される。
【０１２１】
ここでは、第１切替部４１０のミラー４１１，４１４、および、第２切替部４２０のミラー４２１，４２２が、１つのステージ４４０の上に配置されており、各ミラー４１１，４１４，４２１，４２２が一体的に変位することによって、第１切替部４１０と第２切替部４２０とが、連動される。即ち、第１切替部４１０によって光スキャナ１５６と被検眼Ｅとの間の光路が短縮される場合に、第２切替部４２０において、ミラー４２１〜４２４による迂回光路が形成され、その結果、光スキャナ１５６からカップラー１５３までの光路は延長される（図７Ｂ→図７Ａ）。このとき、測定光路と参照光路の光路長差は、ステージ４４０の駆動の前後で増大される。その結果として、駆動後において参照光学系の調整を省略、或いは、簡略化できる。反対に、第１切替部４１０によって光スキャナ１
５６と被検眼Ｅとの間の光路が短縮される場合には、第２切替部４２０において、ミラー４２１，４２２が測定光路から退避されることに伴って、測定光の迂回は解消され、その結果、光スキャナ１５６からカップラー１５３までの光路は短縮される（図７Ａ→図７Ｂ）。このとき、測定光路と参照光路の光路調査は、ステージ４４０の駆動の前後で減少される。その結果として、駆動後において参照光学系の調整を省略、或いは、簡略化できる。また、第２切換部４２０は、折り返された２つの光路において、光路長が調整されるので、駆動量が少なく済み、装置のコンパクト化に貢献できる。
【０１２２】
このようにして、第１切替部４１０による旋回点の位置変更に伴う測定光路における光路長変化（換言すれば、測定光路と参照光路との光路長差の変化）が、第２切替部４２０によって軽減される。
【０１２３】
なお、図７において、第１切替部４１０におけるミラー４１１，４１２および第２切替部４２０におけるミラー４２１〜４２４は、例えば、プリズム等に置き換えられてもよい。
【０１２４】
＜制御動作＞
以下、図８に示すフローチャートを用いて、上記の構成を備えるＯＣＴデバイス１の制御動作を順に説明する。例えば、本実施例においては、前眼部・眼底撮影モードを設定された場合の一例を示す。これによって、まず、前眼部撮影モードに設定され、制御部７０は、前眼部Ｅｃを撮影し、前眼部のＯＣＴデータを取得するための設定を行う。制御部７０は、前眼部のＯＣＴデータの動画像、前眼部正面像等が表示される前眼部撮影画面（例えば、図１１参照）をモニタ７５に表示する。前眼部撮影画面においては、例えば、前眼部正面像を用いてＯＣＴデータの取得位置が設定されてもよいし、ＯＣＴの走査パターンが設定されてもよい。
【０１２５】
例えば、検者は、図示無き固視標を注視するよう被検者に指示する。図示なき前眼部撮像光学系により被検眼Ｅの前眼部が検出されると、その前眼部観察像６０（図９参照）がモニタ７５に表示される。前眼部観察像６０上には、後述するアライメント指標像Ｍａ〜Ｍｈが現れている。例えば、この状態において、制御部７０は、ＯＣＴ光学系１００を内蔵する装置本体を駆動部により移動させることで、自動アライメントを開始する。なお、アライメント検出及び自動アライメントの手法については、以下に限定されず、周知の技術が採用可能である。
【０１２６】
＜被検眼の前眼部に対するアライメント（Ｓ１）＞
例えば、制御部７０は、被検眼Ｅと後述するアライメント基準位置Ｏ１との位置ずれに基づいて、被検眼ＥとＯＣＴ光学系１００における光軸Ｌ１とのアライメントを行う（Ｓ１）。図９は被検眼Ｅの前眼部観察像６０を示す図である。被検眼Ｅと測定光学系２０とのアライメント状態を検出する際には、図示なき指標投影光学系において光源が点灯する。これによって、被検眼Ｅには指標像Ｍａ〜Ｍｈがリング状に投影される。例えば、指標像Ｍａ及びＭｅは無限遠であり、指標像Ｍｈ及びＭｆは有限遠である。制御部７０は、指標像Ｍａ〜Ｍｈにおけるリング形状のＸＹ中心座標（図９に示す十字マーク）を略角膜頂点位置Ｋとして検出する。
【０１２７】
例えば、被検眼Ｅの左右方向（Ｘ方向）及び上下方向（Ｙ方向）におけるアライメント状態は、予め設定されたアライメント基準位置Ｏ１（図１０参照）を用いて判定される。例えば、本実施例においては、アライメント基準位置Ｏ１が、被検眼Ｅの略角膜頂点位置Ｋと光軸Ｌ１とが一致する位置に設定されている。
【０１２８】
図１０はアライメント制御について説明する図である。例えば、制御部７０は、検出した被検眼Ｅの略角膜頂点位置Ｋと、アライメント基準位置Ｏ１と、の偏位量Δｄを求めることによって、被検眼Ｅに対する光軸Ｌ１のＸＹ方向における位置ずれを検出する。例えば、被検眼Ｅに対してＸＹ方向の位置ずれが検出された場合、制御部７０は、偏位量Δｄが０となるようにＸ方向及びＹ方向のアライメントを調整する。すなわち、制御部７０は、被検眼Ｅの略角膜頂点位置Ｋと、アライメント基準位置Ｏ１と、が一致するように、Ｘ方向及びＹ方向のアライメントを調整する。
【０１２９】
また、例えば、被検眼Ｅの前後方向（Ｚ方向）におけるアライメント状態は、前述した指標像を用いて判定される。例えば、本実施例においては、ＯＣＴデバイス１に対して被検眼Ｅが適切な位置にある場合（すなわち、被検眼Ｅに対してＺ方向の位置ずれがない場合）、無限遠の指標像ＭａからＭｅまでの像間隔ａと、有限遠の指標像ＭｈからＭｆまでの像間隔ｂと、がある一定の比率となるように設定されている。例えば、ＯＣＴデバイス１に対して被検眼Ｅが適切な位置にない場合（すなわち、被検眼Ｅに対してＺ方向の位置ずれがある場合）、無限遠の指標像ＭａからＭｅまでの像間隔ａはほとんど変化しないが、有限遠の指標像ＭｈからＭｆまでの像間隔ｂは変化する。例えば、制御部７０は、無限遠の指標像Ｍａ及びＭｅの像間隔ａと、有限遠の指標像Ｍｈ及びＭｆの像間隔ｂとの像比率（つまり、ａ／ｂ）を比較し、これが一定の比率となるようにＺ方向のアライメントを調整する。なお、上記構成の詳細については特開平６−４６９９９号公報を参照されたい。
【０１３０】
例えば、制御部７０はこのようにして、被検眼Ｅに対してＯＣＴ光学系１００を駆動させる。被検眼ＥとＯＣＴデバイス１とのＸＹＺ方向におけるアライメントが調整されると、制御部７０はアライメントが完了したと判断し、アライメント完了信号を出力する。
【０１３１】
＜被検眼の前眼部撮影時における最適化制御（Ｓ２）＞
アライメント完了信号が出力されると、制御部７０は最適化を開始するためのトリガ信号を発し、最適化を開始する（Ｓ２）。例えば、最適化制御を行うことによって、検者が所望する前眼部部位が高感度・高解像度で観察できるようになる。
【０１３２】
例えば、最適化制御として、例えば、偏光状態の調整（ポラライザ調整）が行われてもよい。この場合、例えば、制御部７０は、偏光調整部３００、３０２を制御することによって、干渉光を強く受光できる位置（すなわち、測定光と参照光の偏光状態が合う位置）に偏光状態を調整してもよい。
【０１３３】
なお、最適化制御としては、例えば、前眼部に対する光路長の調整が行われてもよい。この場合、制御部７０は、測定光と参照光の少なくともいずれかの光路長を調整することによって前眼部に対する光路長調整を行ってもよく、例えば、光路長を調整するための光学部材を初期位置から所定方向に移動させることによって、前眼部に対する光路長調整を行ってもよい。
【０１３４】
また、最適化制御としては、例えば、前眼部に対するフォーカス調整が行われてもよい。この場合、例えば、制御部７０は、被検眼Ｅの前眼部に合焦するように光学部材（例えば、フォーカシングレンズ）を駆動させ、オートフォーカス調整を行うようにしてもよい。
【０１３５】
＜前眼部のＯＣＴデータの撮影（Ｓ３）＞
例えば、制御部７０は、アライメント調整と最適化制御が行われた上記の状態において、自動又は手動にて発せられるトリガ信号に基づいてＯＣＴ光学系１００を制御することにより、前眼部のＯＣＴデータを撮影（キャプチャー）する（Ｓ３）。前眼部のＯＣＴデータは、２次元データであってもよいし、３次元データであってもよい。この場合、制御部７０は、前眼部のＯＣＴデータの撮影と同時に、前眼部の正面データを図示無き観察光学系を用いて取得してもよい。
【０１３６】
＜前眼部のＯＣＴデータの確認（Ｓ４）、前眼部ＯＣＴデータの記憶（Ｓ５）＞
前眼部のＯＣＴデータが撮影された後、制御部７０は、モニタ７５の表示画面を撮影画面から確認画面に移行させる。制御部７０は、画像化された前眼部のＯＣＴデータを含む確認画面（例えば、図１２参照）をモニタ７５に表示する。なお、確認画面には、前眼部のＯＣＴデータと共に、前眼部の正面データが表示されてもよい。
【０１３７】
確認画面には、例えば、ＯＫを示す第１のスイッチ５００と、再撮影に移行するための第２のスイッチ５０２と、が表示されており、第１のスイッチ５００が操作されると、制御部７０は、撮影された前眼部のＯＣＴデータを記憶部７２に記憶すると共に、前眼部のＯＣＴデータの確認画面を眼底撮影画面（例えば、図１３参照）に移行する。第１のスイッチ５００が操作され、撮影された前眼部のＯＣＴデータを記憶部７２に記憶されることで、前眼部のＯＣＴデータの取得が完了される。
【０１３８】
さらに、確認画面には、ＯＣＴデータの良否に関わらず、眼底撮影画面に移行するための第３のスイッチ５０４が配置されてもよく、制御部７０は、第３のスイッチ５０４が操作されると、前眼部確認画面から眼底撮影画面に表示画面を移行する。なお、上記第１〜第３のスイッチは、確認画面に表示される形態に限定されず、所定のコントローラパネルに物理的に配置される構成であってもよい。
【０１３９】
なお、前眼部確認画面には、眼底撮影画面が小画面６００として表示されてもよい。小画面６００には、眼底のＯＣＴデータ、眼底正面像の少なくともいずれかが表示されてもよい。
【０１４０】
＜集光位置の切換（Ｓ６）＞
前述のように前眼部のＯＣＴデータの取得が完了されると、これをトリガ信号として、制御部７０は、導光光学系１５０を制御し、眼底のＯＣＴデータを得るための光学配置に切り替えてもよい。この場合、例えば、制御部７０は、被検眼瞳孔上に測定光の旋回点が形成されると共に、測定光の集光位置が眼底上に形成されるように、導光光学系１５０の光学配置を切り換えてもよい。これによって、測定光の集光位置が前眼部から眼底に切り替えられる。
【０１４１】
＜眼底に対する最適化制御（Ｓ７）＞
集光位置が切り換えられた後、眼底に対する最適化制御が行われてもよい。この場合、制御部７０は、測定光と参照光の少なくともいずれかの光路長を調整することによって、眼底に対する光路長調整を行ってもよい。例えば、制御部７０は、光路長を調整するための光学部材（例えば、光学部材１１２）を初期位置から所定方向に移動させることによって、眼底に対する光路長調整を行ってもよい。なお、例えば、制御部７０は、参照光路を経由した参照光の光路長と眼底を経由した測定光の光路長とが一致するように、測定光と参照光の少なくともいずれかの光路長を調整してもよい。ここで、ＯＣＴ光学系１００の検出器から出力されるＯＣＴデータにおいて、眼底のＯＣＴデータが含まれるように光路長が調整されてもよい。
【０１４２】
また、集光位置の切換が行われた後、制御部７０は、眼底にフォーカスを調整するための光学部材（例えば、フォーカシングレンズ）を駆動させるフォーカス調整部を制御し、眼底に対する導光光学系１５０のフォーカスを自動的に調整してもよい。例えば、制御部７０は、観察光学系の検出器から出力される受光信号、又はＯＣＴ光学系１００の検出器から出力される検出信号に基づいて、導光光学系１５０のフォーカスを調整してもよい。
【０１４３】
また、追加的には、例えば、制御部７０は、眼底に対する偏光状態の調整（ポラライザ調整）を行ってもよい。この場合、例えば、制御部７０は、偏光調整部３００、３０２を制御することによって、眼底反射光と参照光に基づく干渉光を強く受光できる位置（すなわち、測定光と参照光の偏光状態が合う位置）に移動させて、測定光の偏光状態を調整してもよい。
【０１４４】
なお、上記のような眼底に対する最適化制御中において、制御部７０は、前眼部に対する自動アライメントを継続的に実行してもよい。これにより、被検眼に対する位置関係を維持できるので、眼底に対する最適化制御を安定的に行うことができる。
【０１４５】
＜眼底撮影画面への移行＞
集光位置の切換制御及び眼底に対する最適化制御が完了されると、制御部７０は、眼底に対する撮影条件の調整が整った旨を報知してもよい。ここで、眼底撮影画面に移行されている状態においては、自動又は手動にて発せられるトリガ信号を待機した状態となる。眼底撮影画面においては、例えば、眼底正面像を用いてＯＣＴデータの取得位置が設定されてもよいし、ＯＣＴの走査パターンが設定されてもよい。
【０１４６】
＜眼底ＯＣＴデータの取得（Ｓ８）＞
眼底撮影画面への移行が完了され、集光位置の切換制御及び眼底に対する最適化制御が完了した状態において、制御部７０は、自動又は手動にて発せられるトリガ信号に基づいてＯＣＴ光学系１００を制御することにより、眼底のＯＣＴデータを撮影（キャプチャー）する（Ｓ８）。眼底のＯＣＴデータは、二次元データであってもよいし、３次元データであってもよい。この場合、制御部７０は、眼底のＯＣＴデータの撮影と同時に、前眼部の正面データを図示無き観察光学系を用いて取得してもよい。自動撮影を行う条件としては、例えば、オートアライメントが完了し、かつ、眼底に対する最適化制御が完了した状態であってもよい。
【０１４７】
＜眼底ＯＣＴデータの確認（Ｓ９）、眼底ＯＣＴデータの記憶（Ｓ１０）＞
眼底のＯＣＴデータが取得された後、制御部７０は、モニタ７５の表示画面を撮影画面から確認画面に移行させる。制御部７０は、画像化された眼底のＯＣＴデータを含む確認画面（例えば、図１４参照）をモニタ７５に表示する。なお、確認画面には、眼底のＯＣＴデータと共に、眼底の正面データが表示されてもよい。
【０１４８】
確認画面には、例えば、ＯＫを示す第１のスイッチ５００と、再撮影に移行するための第２のスイッチ５０２と、が表示されており、第１のスイッチ５００が操作されると、制御部７０は、撮影された眼底のＯＣＴデータを静止画として記憶部７２に記憶する。一方、第２のスイッチ５０２が操作されると、制御部７０は、表示画面を眼底撮影画面に移行させる。
【０１４９】
上記のような制御によれば、前眼部のＯＣＴデータの取得完了をトリガとして、測定光の集光位置が眼底に切り替わることによって、前眼部及び眼底に対する撮影条件の調整をスムーズに行うことが可能となり、結果として、前眼部と眼底のＯＣＴデータを短時間で取得することが可能となる。
【０１５０】
＜変容例＞
以下に上記実施例の変容例について説明する。
【０１５１】
＜確認画面の表示と測定光の集光位置の切換の並行＞
制御部７０は、確認画面の表示と並行して、測定光の集光位置の切換制御を行うようにしてもよい。これによって、眼底のＯＣＴデータを得るまでの時間をより短縮できる。この場合、制御部７０は、ＯＫを示す第１のスイッチ５００の操作に関わらず、前眼部のＯＣＴデータの撮影動作完了（キャプチャー動作完了）をＯＣＴデータの取得完了のトリガとして、導光光学系１５０を制御し、眼底のＯＣＴデータを得るための光学配置に切り替えてもよい。
【０１５２】
なお、集光位置の切換制御の完了後において、前眼部のＯＣＴデータの確認画面が継続して表示されている場合、制御部７０は、確認画面の表示と並行して、眼底に対する最適化制御を行うことによって、眼底のＯＣＴデータを得るまでの時間をより短縮できる。
【０１５３】
なお、前眼部確認画面において、集光位置の切換制御及び眼底に対する最適化制御が完了したような場合、例えば、制御部７０は、前眼部確認画面において、その旨をモニタ７５に表示してもよい（例えば、メッセージ６０２参照）。この場合、制御部７０は、その旨のメッセージを表示してもよいし、眼底ＯＣＴデータと眼底正面像の少なくともいずれかを含む眼底撮影画面を表示する（例えば、サムネイル表示、拡大表示、強調表示等）ことによってその旨を報知してもよい。
【０１５４】
ここで、第３のスイッチ５０４が操作されると、制御部７０は、前眼部確認画面から眼底撮影画面に表示画面を移行してもよい。この場合、前眼部のＯＣＴデータの確認は、一旦保留となる。なお、上記構成に限定されず、集光位置の切換制御及び眼底に対する最適化制御が完了されると、制御部７０は、前眼部確認画面から眼底撮影画面に表示画面を自動的に移動させてもよい。
【０１５５】
＜前眼部のＯＣＴデータの再取得＞
なお、前眼部確認画面において、眼底のＯＣＴデータの取得に向けた制御（集光位置切換、最適化制御）が既に行われている可能性がある。ここで、制御部７０は、第２のスイッチ５０２の入力があっても、眼底のＯＣＴデータの取得に向けた制御を優先することで、眼底撮影への移行途中において、前眼部撮影に戻ることによる時間ロスを軽減できる。
【０１５６】
この場合、眼底のＯＣＴデータを取得する制御が優先的に行われ、眼底のＯＣＴデータが静止画として記憶部７２に記憶された後、制御部７０は、前眼部のＯＣＴデータの取得に向けた制御（集光位置切換、最適化制御）を行うことによって、ＯＣＴ光学系１００にて前眼部のＯＣＴデータを取得してもよい。これによって、眼底撮影への移行途中において、前眼部撮影に戻ることによる時間ロスを軽減できると共に、前眼部撮影をスムーズに行うことができる。もちろん、上記制御に限定されず、第３のスイッチ５０４が押された場合、制御部７０は、前眼部のＯＣＴデータの取得に向けた制御に移行してもよい。
【０１５７】
＜撮影条件の事前設定＞
なお、上記説明において、前眼部撮影画面及び眼底撮影画面においてそれぞれ撮影条件が設定されたが、これに限定されず、前眼部のＯＣＴデータと眼底のＯＣＴデータを得る際の各撮影条件を複数の撮影条件から予め設定できる構成であってもよい。この場合、例えば、各撮影画面に移行する前に、前眼部のＯＣＴデータと眼底のＯＣＴデータを得る際の各撮影条件を設定するための指示を受け付け、制御部７０は、各撮影モードにおいて、設定された撮影条件に応じて撮影を行う。撮影条件を設定するための指示は、例えば、検者からの操作信号に基づいて受け付けられてもよい。これによれば、各撮影画面において、撮影条件を設定する手間を軽減できるので、スムーズに前眼部と眼底のＯＣＴデータを得ることができる。
【０１５８】
なお、撮影条件としては、例えば、測定光の走査条件であってもよく、走査条件としては、走査パターン、走査範囲のサイズ、走査位置、走査部位（例えば、黄斑、乳頭）の少なくともいずれかであってもよい。その他、走査条件としては、走査密度、走査速度の少なくともいずれかであってもよい。
【０１５９】
さらに、各撮影モードにおいて、複数の撮影条件が設定されてもよく、制御部７０は、予め設定された複数の撮影条件に応じて複数のＯＣＴデータを取得してもよい。例えば、制御部７０は、第１の走査パターン（例えば、ラインスキャン）にて前眼部の第１のＯＣＴデータを取得し、第２の走査パターン（例えば、マップスキャン）にて前眼部の第２のＯＣＴデータを取得する。そして、制御部７０は、前眼部の第２のＯＣＴデータの取得完了をトリガとして測定光の集光位置を切り換えてもよい。集光位置が切り換えられた後、制御部７０は、第１の走査パターン（例えば、マップスキャン）にて眼底の第１のＯＣＴデータを取得してもよい。追加的には、制御部７０は、第２の走査パターンにて眼底の第２のＯＣＴデータを取得してもよい。もちろん、上記例は一例であり、複数の撮影条件が設定される場合において、種々の変容が可能である。
【０１６０】
また、撮影条件としては、例えば、ＯＣＴデータの特性であってもよく、ＯＣＴデータとして、被検眼の形態データを示すＯＣＴデータであってもよいし、被検眼の血管データを示すＯＣＴデータ（例えば、モーションコントラストデータ）であってもよい。
【０１６１】
なお、上記説明においては、前眼部確認画面と共に眼底撮影画面が小画面として表示されることで、前眼部のＯＣＴデータを確認しながら、眼底撮影の状況を確認できる。もちろん、これに限定されず、前眼部確認画面と眼底撮影画面が別画面として切換表示されてもよい。また、前眼部ＯＣＴデータを得るための前眼部撮影画面と、眼底のＯＣＴデータを得るための眼底撮影画面とが同一画面上に表示され、各撮影画面において撮影条件が設定できる表示形態であってもよい。これにより、撮影条件の設定をスムーズに行うことができる。
【０１６２】
また、前眼部ＯＣＴデータを確認するための前眼部確認画面と、眼底のＯＣＴデータを確認するための眼底確認画面とが同一画面上に表示され、各確認画面においてＯＣＴデータを確認できる表示形態であってもよい（図１５参照）。
【０１６３】
なお、上記説明においては、ＯＣＴデータとしては、被検眼Ｅの形態を示す形態断層データであってもよいし、被検眼の血管状態を示すＯＣＴモーションコントラストデータであってもよい。例えば、前眼部のＯＣＴモーションコントラストデータ（例えば、前眼部の房水領域）と、眼底のＯＣＴモーションコントラストデータ（例えば、眼底血流領域）とが並べて表示されてもよい。
【０１６４】
また、ＯＣＴデータとしては、複数のＯＣＴデータを繋ぎ合わせたパノラマＯＣＴデータであってもよく、前眼部のパノラマＯＣＴデータと眼底のパノラマＯＣＴデータの少なくともいずれかが取得されてもよい。
【０１６５】
また、例えば、本実施例における眼科撮影装置は、前眼部のＯＣＴデータを処理することによって、混濁部の二次元分布を示す解析情報を取得し、解析情報に基づいてＯＣＴ光学系における測定光の走査位置を設定してもよい。これによって、検者は、被検眼に生じた混濁部の位置を容易に判断することができる。また、検者は、測定光の走査位置を容易に設定することができる。
【図面の簡単な説明】
【０１６６】
【図１】本実施例に係るＯＣＴ装置の一例を示す図である。
【図２】本実施例に係るＦＰＮ生成光学系の一例を示す図である。
【図３】ＦＰＮ信号を用いて複数のＯＣＴデータを合成する場合のデータの一例を示す図であり、合成前を示す図である。
【図４】ＦＰＮ信号を用いて複数のＯＣＴデータを合成する場合のデータの一例を示す図であり、合成後のイメージ図である。
【図５】眼底撮影モードにおいて取得されるＯＣＴデータの一例を示す図である。
【図６】前眼部撮影モードにおいて取得されるＯＣＴデータの一例を示す図である。
【図７Ａ】集光位置を切換える切換機構の一例を示す図である（前眼部撮影モード）。
【図７Ｂ】集光位置を切換える切換機構の一例を示す図である（眼底撮影モード）。
【図８】撮影動作の一例を示す図である。
【図９】前眼部観察画面の一例を示す図である。
【図１０】アライメント検出の一例を示す図である。
【図１１】前眼部撮影画面の一例を示す図である。
【図１２】前眼部確認画面の一例を示す図である。
【図１３】眼底撮影画面の一例を示す図である。
【図１４】眼底確認画面の一例を示す図である。
【図１５】確認画面の一例を示す図である。
【符号の説明】
【０１６７】
７０      制御部
１００      干渉光学系
１０２      光源
１０４      カップラ
１３０      カップラ
１５０      導光光学系
１５６      光スキャナ
１５８      対物光学系
４１０      第１切換部
４２０      第２切換部
４３０      駆動部
【図１】
2019042249.tif 000003
【図２】
2019042249.tif 000004
【図３】
2019042249.tif 000005
【図４】
2019042249.tif 000006
【図５】
2019042249.tif 000007
【図６】
2019042249.tif 000008
【図７Ａ】
2019042249.tif 000009
【図７Ｂ】
2019042249.tif 000010
【図８】
2019042249.tif 000011
【図９】
2019042249.tif 000012
【図１０】
2019042249.tif 000013
【図１１】
2019042249.tif 000014
【図１２】
2019042249.tif 000015
【図１３】
2019042249.tif 000016
【図１４】
2019042249.tif 000017
【図１５】
2019042249.tif 000018